【手続補正書】
【提出日】平成28年6月28日(2016.6.28)
【手続補正１】
【補正対象書類名】特許請求の範囲
【補正対象項目名】全文
【補正方法】変更
【補正の内容】
【特許請求の範囲】
【請求項１】
撮像手段と、
複数の人物の顔画像を、各人物を識別するための情報に関連付けて記憶する記憶手段と、
前記撮像手段により撮像された画像から検出された顔画像と、前記記憶手段に記憶された顔画像とに基づいて、前記検出された顔画像に関連付けられた人物を特定する顔特定手段と、
前記撮像手段により撮像された前記画像内の前記顔画像が存在する領域に応じて、前記顔特定手段により特定された人物が存在する、自装置に対する方向を特定する方向特定手段と、を備えることを特徴とする、
情報処理装置。
【請求項２】
前記記憶手段は、前記複数の人物のそれぞれが所有する通信機器の識別情報を、各人物の顔画像に関連付けて記憶する記憶手段であって、
前記方向特定手段は、前記顔特定手段により特定された人物が所有する通信機器が存在する自装置に対する方向を特定することを特徴とする、
請求項１に記載の情報処理装置。
【請求項３】
前記検出した顔画像が存在する領域の中心座標を検出する検出手段を備え、
前記方向特定手段は、前記中心座標の前記画像内における位置に応じて、前記顔特定手段により特定された人物が所有する通信機器が存在する方向を特定することを特徴とする、
請求項１または２記載の情報処理装置。
【請求項４】
前記検出した顔画像から顔の器官の位置を検出する器官検出手段を備え、
前記方向特定手段は、検出された前記顔の器官の位置により特定される該顔の向きに応じて、前記顔特定手段により特定された人物が所有する通信機器が存在する方向を特定することを特徴とする、
請求項１または２記載の情報処理装置。
【請求項５】
前記検出した顔画像が存在する領域の中心座標を検出する検出手段を備え、
前記方向特定手段は、前記中心座標に最も近接する前記画像の縁部に応じて、前記顔特定手段により特定された人物が所有する通信機器が存在する方向を特定することを特徴とする、
請求項１または２記載の情報処理装置。
【請求項６】
前記検出した顔画像が存在する領域の中心座標を検出する検出手段を備え、
前記記憶手段は、この情報処理装置の所有者の顔画像を他の人物の顔画像とともに記憶しており、
前記顔特定手段は、前記撮像手段により撮像された前記画像から、前記所有者の顔画像及び他の人物の顔画像を検出し、前記記憶手段に記憶された前記顔画像を参照して、検出した各顔画像に関連付けられた前記所有者及び他の人物を特定し、
前記方向特定手段は、前記所有者の顔画像が存在する領域の中心座標及び前記他の人物の顔画像が存在する領域の中心座標に応じて、特定した前記他の人物が所有する通信機器が存在する方向を特定することを特徴とする、
請求項１または２記載の情報処理装置。
【請求項７】
前記検出した顔画像が存在する領域の中心座標を検出する検出手段を備え、
前記記憶手段は、前記顔画像が表示されても、前記顔特定手段により特定された人物が所有する通信機器が存在する方向を特定することができない、前記画像内の領域である指定領域を記憶しており、
前記方向特定手段は、前記中心座標が前記指定領域に含まれれば、前記通信機器が存在する方向を特定可能な、前記顔画像が存在する領域以外の情報である補足情報を用いた方向解析を行い、方向解析の結果及び前記中心座標の位置に応じて、前記顔特定手段により特定された人物が所有する通信機器が存在する方向を特定することを特徴とする、
請求項１または２記載の情報処理装置。
【請求項８】
情報処理装置の本体の一面にディスプレイを備えており、
前記撮像手段は、ディスプレイと同じ面に設けられ、前記ディスプレイを閲覧しようとする人物の顔を撮影可能な位置及び方向に設置されたインカメラであり、前記インカメラが撮像した前記画像は前記ディスプレイに表示されないことを特徴とする、
請求項１乃至７のいずれか１項に記載の情報処理装置。
【請求項９】
撮像手段と、
タッチパネルに対するタッチ操作の方向を検出する入力手段と、
複数の人物の顔画像を、各人物が所有する通信機器に関連付けて記憶する記憶手段と、
前記撮像手段により撮像された画像から検出された顔画像と、前記記憶手段に記憶された顔画像とに基づいて、前記検出された顔画像に関連付けられた人物を特定する顔特定手段と、
前記撮像手段により撮像された前記画像内の前記顔画像が存在する領域に応じて、前記顔特定手段により特定された前記人物が存在する方向を特定する方向特定手段と、
前記入力手段で検出した前記タッチ操作の方向と前記方向特定手段で特定した方向とが一致するか否かを判定する判定手段と、
前記判定手段による判定の結果、一致する場合に、前記顔特定手段により特定された人物が所有する通信機器へ電子データを送信する送信手段と、を備えることを特徴とする、    情報処理装置。
【請求項１０】
撮像手段と、
複数の人物の顔画像を、各人物を識別するための情報に関連付けて記憶する第１の記憶手段と、
前記撮像手段により撮像された画像から検出された顔画像と、前記第１の記憶手段に記憶された顔画像とに基づいて、前記検出された顔画像に関連付けられた人物を特定する顔特定手段と、
前記検出した顔画像が存在する領域の中心座標を検出する検出手段と、
前記撮像手段によって撮像される画像内に、前記顔画像が存在しても、前記顔特定手段により特定された人物が存在する自装置に対する方向を特定しない指定領域を記憶する第２の記憶手段と、
前記中心座標が前記指定領域に含まれれば、前記撮像手段により撮像された前記画像内の前記顔画像が存在する領域に応じて、前記顔特定手段により特定された人物が存在する方向を特定し、前記中心座標が前記指定領域に含まれなければ、前記特定された人物が存在する方向を特定可能な、前記顔画像が存在する領域以外の情報である補足情報を用いた方向解析を行い、方向解析の結果及び前記中心座標の位置に応じて、前記顔特定手段により特定された人物が存在する方向を特定する方向特定手段と、を備えることを特徴とする、
情報処理装置。
【請求項１１】
前記第１の記憶手段は、前記複数の人物のそれぞれが所有する通信機器の識別情報を、各人物の顔画像に関連付けて記憶しており、
前記方向特定手段は、前記顔特定手段により特定された人物が所有する通信機器が存在する自装置に対する方向を特定することを特徴とする、
請求項１０に記載の情報処理装置。
【請求項１２】
情報処理装置の本体の傾きを検出する傾き検出手段を備え、
前記方向特定手段は、前記本体の傾きを補足情報として、前記顔特定手段により特定された人物が所有する通信機器が存在する方向解析を行うことを特徴とする、
請求項１０記載の情報処理装置。
【請求項１３】
情報処理装置の本体の傾きの変化を検出する傾き検出手段を備え、
前記方向特定手段は、前記本体の傾きの変化を補足情報として、前記顔特定手段により特定された人物が所有する通信機器が存在する方向解析を行うことを特徴とする、
請求項１１記載の情報処理装置。
【請求項１４】
前記方向特定手段は、前記撮像手段により連続して撮像された前記画像内の前記顔画像が存在する領域の変化を補足情報として、前記顔特定手段により特定された人物が所有する通信機器が存在する方向解析を行うことを特徴とする、
請求項１１記載の情報処理装置。
【請求項１５】
撮像手段と、複数の人物の顔画像を、各人物を識別するための情報に関連付けて記憶する記憶手段と、を備えた情報処理装置により実行される方法であって、
前記撮像手段により撮像された画像から検出された顔画像と、前記記憶手段に記憶された顔画像とに基づいて、前記検出された顔画像に関連付けられた人物を特定するステップと、
前記撮像手段により撮像された前記画像内の前記顔画像が存在する領域を特定するステップと、
特定した前記顔画像が存在する領域に応じて、前記特定された人物が存在する、前記情報処理装置に対する方向を特定するステップと、を含むことを特徴とする、
方向特定方法。
【請求項１６】
撮像手段を備えたコンピュータを、
複数の人物の顔画像を、各人物を識別するための情報に関連付けて記憶する記憶手段、
前記撮像手段により撮像された画像から検出された顔画像と、前記記憶手段に記憶された顔画像とに基づいて、前記検出された顔画像に関連付けられた人物を特定する顔特定手段、
前記撮像手段により撮像された前記画像内の前記顔画像が存在する領域に応じて、前記顔特定手段により特定された人物が存在する、自装置に対する方向を特定する方向特定手段、
として機能させるためのコンピュータプログラム。
【手続補正２】
【補正対象書類名】明細書
【補正対象項目名】０００８
【補正方法】変更
【補正の内容】
【０００８】
上記課題を解決する本発明の情報処理装置は、撮像手段と、複数の人物の顔画像を、各人物を識別するための情報に関連付けて記憶する記憶手段と、前記撮像手段により撮像された画像から検出された顔画像と、前記記憶手段に記憶された顔画像とに基づいて、前記検出された顔画像に関連付けられた人物を特定する顔特定手段と、前記撮像手段により撮像された前記画像内の前記顔画像が存在する領域に応じて、前記顔特定手段により特定された人物が存在する、自装置に対する方向を特定する方向特定手段と、を備えることを特徴とする。